(57)【特許請求の範囲】
【請求項１】
壁面（１３）等に固定される本体（２）と、前記本体に弾性的に上下可動に保持された弾性可動体（３）とからなり、
前記本体の両側部（６）に形成した固定上縁フック（８）と前記弾性可動体の下端部に形成した可動下縁フック（１１）にピクチャレール（１６）の背面の凹部上縁（１７）及び凹部下縁（１８）を掛けて前記ピクチャレールを支持するブラケット（１）において、  前記両側部（６）の上端部の背面側を前記固定上縁フックに、前記両側部（６）の上端部の正面側を上案内斜面（９）に、前記本体の下縁を固定下縁フック（５）に、前記弾性可動体の下端部の背面側を前記可動下縁フックに、前記弾性可動体の下端部の正面側を下案内斜面（１２）にそれぞれ形成し、
前記凹部上縁を前記上案内斜面に前記凹部下縁を前記下案内斜面にそれぞれ当接させて前記ピクチャレールを前記壁面に垂直に押圧すると、前記凹部上縁が前記固定上縁フックに掛かり、前記凹部下縁が前記可動下縁フックと前記固定下縁フックに狭持される
ことを特徴とするピクチャレール用ブラケット。
【請求項２】
前記両側部（６）を前記本体（２）の上下方向中央の左右両側から相対向する内側に延長させ、ついで再び前記本体の正面側に曲げて、前記固定上縁フック（８）から外れた前記凹部上縁（１７）を掛け止めする補助フック（７）を形成したことを特徴とする請求項１記載のピクチャレール用ブラケット。
【発明の詳細な説明】
【０００１】
【発明の属する技術分野】
本発明はピクチャレールを壁面に設置するために使用するブラケットに関する。
【０００２】
【従来の技術】
従来のブラケット２０は、図５（ａ）に示すように、金属板製の本体２１と、その本体に上下可動に保持させた合成樹脂成形品の弾性可動体とからなり、ピクチャレール１６の背面の凹部上縁１７を本体２１の固定フック部２３に、凹部下縁１８を弾性可動体２２の弾性的に上下する可動フック部２４にそれぞれ掛け止めしてブラケット２０にピクチャレール１６を取り付ける方式であった。このブラケット２０は、図５（ｂ）に示すように、ピクチャレール１６をブラケット２０に取り付け又は取り外すときに、凹部上縁１７を中心にピクチャレール１６をはね上げるように回転するため、ピクチャレール１６の上面と天井面１３の間に１５ｍｍ程度の空隙が必要であった。この比較的大きな空隙がピクチャレールの意匠性を損なうという問題があった。
【０００３】
又、ピクチャレール１６の凹部上縁１７が外力の作用でブラケット２０の固定フック部２３から外れると直ちにピクチャレール１６が落下して危険であった。さらに、ピクチャレール１６の凹部下縁１８は弾性的に上下する可動フック部２４と係合するため、ピクチャレール１６の下縁側に外力が作用すると、凹部下縁１８がブラケット２０から外れて落下する危険があった。
【０００４】
【発明が解決しようとする課題】
本発明はこれらの問題を解決するためになされたものであり、その課題は、ピクチャレールを天井面に近付けて設置することが可能であり、かつピクチャレールの凹部上縁がブラケットの固定フックから外れても、又はピクチャレールの凹部下縁側に外力が作用しても、ピクチャレールの落下を防止することができるブラケットを提供することにある。
【０００５】
【課題を解決するための手段】
前記課題を解決するため、本発明が採用する手段は、壁面等に固定する金属板製の本体と、その本体に弾性的に上下可能に保持させた合成樹脂成形品の弾性可動体とからなるブラケットにおいて、本体から正面側へ突出する両側部の上端部の背面側を固定上縁フックに、弾性可動体の下端部の背面側を可動下縁フックに、正面側を下案内斜面にそれぞれ形成し、ピクチャレールの背面の凹部上縁を上案内斜面に、凹部下縁を下案内斜面に当接して壁面に垂直にピクチャレールを押圧すると、凹部上縁が固定上縁フックに掛かり、凹部下縁が可動下縁フックと固定下縁フックに狭持されるようにしたことにある。
【０００６】
両側部はさらに正面側に延長して先端を、固定上縁フックから外れたピクチャレールの凹部上縁が掛け止めさせる補助フックに形成することが好ましい。
【０００７】
両側部は左右対称に設け、本体中央の左右両側から正面側に突出させてついで対向する方向に折れて弾性可動体を囲み、再び正面側に突出して補助フックを形成するようにすることができる。
【０００８】
【発明の実施の態様】
本発明のブラケットを図面に示す実施例に基づいて説明する。
図１は、実施例ブラケットの側面図、図２は正面図、図３は平面図である。
【０００９】
図面に示すように、ブラケット１は金属板製の本体２と、本体２に支持された合成樹脂製の弾性可動体３とからなる。本体２は正面から見ると長方形であり、中央に止めねじ通し穴４を、下縁に正面側へ湾曲する固定下縁フック５を備える。本体２の中央の左右両側は正面側に直角に突出して両側部６を形成する。両側部６は相対向する内側へ延長し、ついで再び正面へ直角に延長して先端は上向きの補助フック７を形成する。
【００１０】
両側部６の上端部の背面側にピクチャレールの凹部上縁を掛ける固定上縁フック８を、正面側に上案内斜面９をそれぞれ形成する。両側部６の内側に配置した弾性可動体３の両突出部１９を両側部６の上端部に形成した支持溝１０にはめ込み、弾性可動体３を弾性的に上下可動に支持する。弾性可動体３の下端部の背面側を可動下縁フック１１に、正面側を下案内斜面１２にそれぞれ形成する。
【００１１】
図４は、ブラケットとピクチャレールの脱着を示す側面図であり、（ａ）は取り付け前又は取り外し後の状態を、（ｂ）は取り付けた状態を、（ｃ）はピクチャレールの凹部上縁がブラケットの固定上縁フックから外れた状態を、それぞれ示す。
【００１２】
図４（ａ）に示すように、ブラケット１は本体２の上面が天井面１３に接するように、止めねじ１４で壁面１５に固定する。ピクチャレール１６はブラケット１に平行に凹部上縁１７を本体２の上案内斜面９に凹部下縁１８を弾性可動体３の下案内斜面１２に当接させる。そのまま、太矢印で示すように、壁面１５に垂直にピクチャレール１６を押圧すると、図４（ｂ）に示すように、凹部上縁１７は上案内斜面１２をのりこえて固定上縁フック８に掛け止めされ、凹部下縁１８は弾性可動体３の可動下縁フック１１と本体２の固定下縁フック５に狭持されるから、ピクチャレール１６はブラケット１に強固に保持される。このとき、ピクチャレール１６の上面と天井面１３の間隙は５ｍｍ程度であるから、意匠性が損なわれるおそれは全くない。ピクチャレール１６の凹部下縁１８はブラケット１の本体２と弾性可動体３に狭持されるから、ピクチャレール１６の下側に外力が作用しても凹部下縁１８がブラケット１から外れてピクチャレール１６が落下する危険はない。
【００１３】
ピクチャレール１６をブラケット１に取り付けるときに、ピクチャレール１６の凹部上縁１７が固定上縁フック８から外れても、図４（ｃ）に示すように、凹部上縁１７はブラケット１の補助フック７に掛け止めされるから、ピクチャレール１６が直ちに落下する危険はない。
【００１４】
【発明の効果】
上記のとおり、本発明のブラケットは、従来のピクチャレールを天井面に近接して取り付けることができないだけでなく、外力によってピクチャレールが落下する危険があったものとは異なり、ピクチャレールの凹部上縁を固定上縁フックに入れる上案内斜面と、凹部下縁を可動下縁フックと共に狭持する固定下縁フックと、固定上縁フックから外れた凹部上縁を掛け止めする補助フックを備えるから、次のような優れた効果を奏する。
１．ピクチャレールを天井面に近接させて取り付けることができるから、ピクチャレールの意匠性が向上する。
２．凹部上縁がブラケットの固定上縁フックから外れても直ちにピクチャレールが落下する危険は未然に防止される。
３．ピクチャレールの下側に外力が作用しても、ピクチャレールの凹部下線がブラケットから外れて落下するおそれはない。
【図面の簡単な説明】
【図１】本発明実施例のブラケットの側面図、
【図２】本発明実施例のブラケットの正面図、
【図３】本発明実施例のブラケットの平面図、
【図４】ブラケットとピクチャレール脱着を示す側面図、
（ａ）は取り中け注の状態を、（ｂ）は取り付け後の状態を、（ｃ）はピクチャレールが補助フックに掛け止めされた状態を、それぞれ示す。
【図５】従来例のブラケットとピクチャレールの脱着を示す側面図、
（ａ）は取り付け後の状態を、（ｂ）は取り付け中の状態を、それぞれ示す。
【符号の説明】
１：ブラケット
２：本体
３：弾性可動体
４：止めねじ通し穴
５：固定下縁フック
６：側部
７：補助フック
８：固定上縁フック
９：上案内斜面
１０：支持溝
１１：可動下縁フック
１２：下案内斜面
１３：天井面
１４：止めねじ
１５：壁面
１６：ピクチャレール
１７：凹部上縁
１８：凹部下縁
１９：突出端部
２０：ブラケット
２１：本体
２２：弾性可動体
２３：固定フック部
２４：可動フック部
【図１】
0004601200.tif 000002
【図２】
0004601200.tif 000003
【図３】
0004601200.tif 000004
【図４】
0004601200.tif 000005
【図５】
0004601200.tif 000006